(57)【要約】【課題】響板が楽音装置本体に接触せず、当該介在体の厚さを圧縮する状態で、響板を当接体に押し付けて固定することにより、響板からの振動が楽音装置全体に直接伝わってしまうことがなくなる。【解決手段】楽音装置の垂直な方形の当接枠３の後面と響板１１の外周縁野前面との間には、可撓性、弾性及びクッション性を有する介在帯８が挟まれ、響板１１が当接枠３に押し付けられる。これにより、響板１１からの振動が楽音装置全体に直接伝わってしまうことがないし、介在帯８、当接枠３及び響板１１の間で共振が生じることもなく、響板１１から発せられる楽音が不用意に変異してしまうことがなくなり、実際のアコースティックな楽器の楽音に近づけることができる。【選択図】図３
2008139746.tif 000002
【特許請求の範囲】
【請求項１】
振動されて音を放射する楽器の響板と、
複数種類の楽音からなる楽音信号を機械的変化に変換して、上記楽器の響板を駆動させて音を放射させる電磁駆動体と、
楽音装置本体に設けられた、上記響板の縁が当接される当接体と、
この当接体と上記響板の縁との間に挟まれる可撓性を有する介在体とを備えたことを特徴とする楽音装置。
【請求項２】
振動されて音を放射する楽器の響板と、
複数種類の楽音からなる楽音信号を機械的変化に変換して、上記楽器の響板を駆動させて音を放射させる電磁駆動体と、
楽音装置本体に設けられた、上記響板の縁が当接される当接体と、
この当接体と上記響板の縁との間に挟まれる可撓性を有する介在体と、
上記響板は楽音装置本体に全く接触しない状態であって、上記介在体、当接体及び響板の間に隙間がない状態であり、当該介在体の厚さを０％乃至９０％圧縮する状態で、響板を当接体に押し付けて固定する固定機構とを備えたことを特徴とする楽音装置。
【請求項３】
上記響板の全周縁には上記介在体が隙間なく介在され、当該響板の全周縁と楽音装置本体との間には隙間がなく密封されていることを特徴とする請求項１または２記載の楽音装置。
【請求項４】
上記響板が取り付けられる楽音装置本体の、響板が取り付けられる側、上側、下側、右側、左側は隙間なく密封されていることを特徴とする請求項１、２または３記載の楽音装置。
【請求項５】
上記響板が取り付けられる楽音装置本体の、響板が取り付けられる側と反対側には挿通穴が形成されていることを特徴とする請求項１、２、３または４記載の楽音装置。
【請求項６】
上記介在体は、上記可撓性のほか、弾性または／及びクッション性も有することを特徴とする請求項１、２、３、４または５記載の楽音装置。
【請求項７】
上記介在体の厚さは、０％乃至９０％、望ましくは０％乃至８０％、より望ましくは０％乃至７０％、さらに望ましくは０％乃至６０％、よりさらに望ましくは０％乃至５０％、さらにより望ましくは０％乃至４５％、よりさらに望ましくは０％乃至４０％、さらにより望ましくは０％乃至３５％、よりさらに望ましくは０％乃至３０％、さらにより望ましくは０％乃至２５％、よりさらに望ましくは０％乃至２０％、さらにより望ましくは０％乃至１５％、よりさらに望ましくは０％乃至１０％圧縮されることを特徴とする請求項１、２、３、４、５または６記載の楽音装置。
【請求項８】
上記楽音装置は鍵盤楽器であり、上記響板は、この鍵盤楽器の楽音装置の背面側に取り付けられ、楽音装置の正面側の鍵盤の下側に挿通穴が形成されていることを特徴とする請求項１、２、３、４、５、６または７記載の楽音装置。
【発明の詳細な説明】
【技術分野】
【０００１】
本件発明は、楽音装置に関し、特に、楽器の響板を振動させて、この響板から楽音を発音・放音させるものに関する。
【背景技術】
【０００２】
従来、このような響板（振動板）を振動させるものでは、ピアノの響板に電磁駆動体を接合し、この電磁駆動体に楽音信号を送り込んで、電磁駆動体ではなく、響板を振動させて、この響板から楽音を発音・放音させている。
【０００３】
【特許文献１】実開昭６０−１５０８９４号公報
【特許文献２】特開平８−１４６９４９号公報
【特許文献３】特開平８−１１１８９６号公報
【特許文献４】特開平４−１５６７９９号公報
【特許文献５】特開昭５３−６９６２４号公報
【特許文献６】特開平４−５６９９６号公報
【特許文献７】特開平５−８０７４８号公報
【特許文献８】特開平５−７３０３９号公報
【特許文献９】特願２００６−１８１１３５号（未公開）
【特許文献１０】特願２００６−１６００５４号（未公開）
【特許文献１１】特願２００６−１５１２８７号（未公開）
【特許文献１２】特願２００６−１４１９５４号（未公開）
【特許文献１３】特願２００６−１３５８９９号（未公開）
【発明の開示】
【発明が解決しようとする課題】
【０００４】
しかしながら、このような響板（振動板）で音を出してみると、実際のアコースティックな楽器の楽音と若干異なる楽音となっていた。
【課題を解決するための手段】
【０００５】
上記目的を達成するために、本件発明は、楽音装置本体に設けられた、響板の縁が当接される当接体と、  この当接体と上記響板の縁との間に挟まれる可撓性を有する介在体と、  上記響板は楽音装置本体に全く接触しない状態であって、上記介在体、当接体及び響板の間に隙間がない状態であり、当該介在体の厚さを０％乃至９０％圧縮する状態で、響板を当接体に押し付けて固定する固定機構とを備えた。
【発明の効果】
【０００６】
これにより、響板からの振動が楽音装置全体に直接伝わってしまうことがないし、介在体、当接体及び響板の間で共振が生じることもなく、響板から発せられる楽音が不用意に変異してしまうことがなくなり、実際のアコースティックな楽器の楽音に近づけることができる。
【発明を実施するための最良の形態】
【０００７】
（１）楽音装置
図１は楽音装置の背面、図２は楽音装置の正面、図３、図４及び図５は楽音装置の縦断面、横断面を示す。楽音装置の細長い一対の木製などの足部１、１は水平方向に互いに平行に配置されている。この足部１、１の間を架渡すように木製などの底板２が木ねじ、ボルトまたは接着剤などで固定されている。
【０００８】
この底板２は水平に配置される細長い方形状であり、後縁には方形状の木製などの当接枠３が垂直方向に木ねじ、ボルトまたは接着剤などで固定されている。この底板２の左右両端と方形状の当接枠３の左右両縁面には、木ねじ、ボルトまたは接着剤などで垂直な木製などの右側板４と左側板５とが取り付けられている。
【０００９】
この底板２の前縁と右下内側板４と下内側板５の前縁には、木ねじ、ボルトまたは接着剤などで垂直な木製などの前面板６が取り付けられている。これら垂直な右下内側板４、下内側板５、前面板６、上記当接枠３の上縁は同じ高さとなっていて、これらの上には蓋をするように木製などの中天板７が木ねじ、ボルトまたは接着剤などで取り付けられている。
【００１０】
上記当接枠３の後面（背面も含む。以下同じ。）には、可撓性、弾性または／及びクッション性を有する介在帯８を間に挟んで、木製などの響板１１の縁の前面が当接される。響板１１の外縁は上記当接枠３の外縁より小さいまたはわずかに小さいので、響板１１は楽音装置本体つまり上記底板２、当接枠３、右下内側板４、下内側板５、前面板６、中天板７に全く接触しない状態となる。したがって、響板１１の音／振動が楽音装置本体に直接伝わらず、響板１１から発せられる楽音が不用意に変異したり音量が減少したりしてしまうことがなくなる。
【００１１】
上記響板１１は当接枠３に木ねじ２３などで押し付けて固定される。この場合、上記介在帯８の厚さは、０％乃至９０％圧縮する状態とされる。したがって、上記介在帯８、当接枠３及び響板１１の間に隙間がない状態とされる。これにより、上記介在体、当接体及び響板の間で、互いが振動でぶつかりあうことがなくなり、異常振動／異常音が発生してしまうことがなくなり、響板１１から発せられる楽音が不用意に変異したり音量が減少したりしてしまうことがなくなる。
【００１２】
上記響板１１及び当接枠３の全周縁には上記介在帯８が隙間なく介在されている。また響板１１が取り付けられる楽音装置本体の、響板１１が取り付けられる側／後側、上側、下側、右側、左側、つまり上記底板２、当接枠３、右下内側板４、下内側板５、前面板６、中天板７との間は隙間がなく密封されている。
【００１３】
したがって、響板１１の上下左右前の全周縁と楽音装置本体つまり上記当接枠３の間には隙間がなく密封される。これにより、響板１１の周囲から音が漏れることがなく、響板１１から発せられる楽音が不用意に変異したり音量が減少したりしてしまうことがなくなる。
【００１４】
響板１１の周囲から音が漏れると、この漏れ音は位相が反転されているので、響板１１からの音を打ち消してしまうが、このような密封によってこの打消しは防止され、響板１１から発せられる楽音が不用意に変異したり音量が減少したりしてしまうことがなくなる。
【００１５】
上記前面板６の高さは低く上縁は切欠されて上記中天板７との間に隙間が形成され、水平方向に延びる挿通穴９が形成され、この挿通穴９はメッシュ状の布で覆われている。この挿通穴９は、響板１１が取り付けられる楽音装置本体の、響板１１が取り付けられる側と反対側に位置する。
【００１６】
これにより、挿通穴９から響板１１からの音が放射される。この挿通穴９からの音と響板１１からの音は同じ音であるが、挿通穴９からの音は響板１１と反対側に放射されるので、これらの音は互いに打ち消しあったり悪影響を及ぼしあったりすることがなく、響板１１から発せられる楽音が不用意に変異したり音量が減少したりしてしまうことがなくなる。
【００１７】
上記中天板７の上には機構箱２１が設置されている。この機構箱２１の前面には鍵盤２２及びパネルスイッチ群などが取り付けられている。この機構箱２１の左右両側面及び上記右下内側板４、左下内側板５の外側には、右外側板２４、左外側板２５が接合されている。この機構箱２１の中には、鍵盤２２及びパネルスイッチ群の操作に応じた楽音信号を生成するための楽音制御回路、フィルタ、アンプ、スピーカーなどが内蔵されている。
【００１８】
したがって、上記楽音装置は鍵盤楽器であり、上記響板１１は、この鍵盤楽器の楽音装置の後面側／背面側に取り付けられていることになり、楽音装置の正面側の鍵盤２２の下側に上記挿通穴９が形成されていることになる。これにより、挿通穴９から放射された音（振動も含む。以下及び以上同じ）が、鍵盤２２などにも伝わり、実際のアコースティックな楽器、例えばグランドピアノやアップライトピアノのような演奏の感触を得ることができる。
【００１９】
（２）響板１１
図３及び図５は楽音装置の縦断面を示す。振動されて音を放射する楽器の木製などの響板１１は方形板状で、響板１１の外縁は上記当接枠３の外縁より小さいまたはわずかに小さい。響板１１の外周縁の後面側には四辺の木製などの枠棒１２…が木ねじ、ボルトまたは接着剤などで固定されている。これにより、響板１１の音が響板１１の四隅にまで円滑に伝わり、全体に均一に広がり、響板１１から発せられる楽音が不用意に変異したり音量が減少したりしてしまうことがなくなる。
【００２０】
この響板１１の後面には２本乃至８本、望ましくは３本乃至７本、より望ましくは４本乃至６本、さらに望ましくは５本の木製などの響棒１３…が木ねじ、ボルトまたは接着剤などで固定されている。これにより、響板１１の音が響板１１の一部に偏ることなく、全体に均一に広がり、響板１１から発せられる楽音が不用意に変異したり音量が減少したりしてしまうことがなくなる。
【００２１】
上記響棒１３…は、水平方向に対して２０度乃至７０度、望ましくは３０度乃至６０度、より望ましくは４０度ないし５０度傾斜している。これにより、響板１１の音が水平方向または／及び垂直方向に偏ることなく、全体に均一に広がり、響板１１から発せられる楽音が不用意に変異したり音量が減少したりしてしまうことがなくなる。なお、響板１１は長方形状なので、響板１１の音は水平方向または／及び垂直方向にもともと偏る性質がある。
【００２２】
上記響板１１には柾目があり、この柾目は斜め方向にそろっている。上記各響棒１３…は、これらの柾目とほぼ直交する方向に配置されている。これにより、響板１１の音は柾目に沿って伝播し易いが、各経棒１３…によって、柾目を跨いで音が伝播され、響板１１の音が偏ることなく、全体に均一に広がり、響板１１から発せられる楽音が不用意に変異したり音量が減少したりしてしまうことがなくなる。
【００２３】
この響棒１３…の両端縁は、上記枠棒１２…まで達している。これにより、上述の響板１１の音が水平方向または／及び垂直方向に偏ることが無いことが、響板１１の端縁まで達成でき、響板１１から発せられる楽音が不用意に変異したり音量が減少したりしてしまうことがなくなる。響棒１３…の両端は厚さが薄くなっている。これにより、響棒１３…自身の共振が防止され、響板１１から発せられる楽音が不用意に変異したり音量が減少したりしてしまうことがなくなる。
【００２４】
上記響棒１３…の各間隔は、１０ｃｍ乃至３０ｃｍであり、等間隔ではなく、不等間隔となっている。これにより、響棒１３…が振動の節となって、各響棒１３…の間で同じ周波数の音が共振してしまうことがなくなり、響板１１から発せられる楽音が不用意に変異したり音量が減少したりしてしまうことがなくなる。このような響棒１３…は響板１１の後面側以外に前面側に取り付けられてもよい。
【００２５】
上記響板１１の響棒１３…の間の前面には、電磁駆動ユニット（電磁駆動体）１４が木ねじ、ボルトなどで取り付けられている。この取り付け機構は、特願２００６−１８１１３５号、特願２００６−１６００５４号、特願２００６−１５１２８７号、特願２００６−１４１９５４号、特願２００６−１３５８９９号などに示されている。
【００２６】
電磁駆動ユニット１４の外形は円柱状の本体ケースとこの本体ケースの側面に設けられている円形の平坦な振動板とからなっている。電磁駆動ユニット１４の中にはコイルと磁石とが内蔵され、上記本体ケース及び振動板の一方にコイルが連結され他方に磁石が連結される。
【００２７】
上記コイルに複数種類の楽音からなる楽音信号が流れると、コイルに生じる磁界と磁石の磁界との相互作用によって、コイルまたは磁石が振動／駆動／変位し、本体ケースに対して振動板が振動／駆動／変位する。振動板を上記響板１１に直接または連結部材を介して接合（取付け／連結／接着を含む）させる。したがって、電磁駆動ユニット１４は、複数種類の楽音からなる楽音信号を機械的変化に変換して、楽器の響板１１を駆動させて音を放射させる。
【００２８】
これにより、振動板及び響板１１を電磁駆動させて振動させることができる。電磁駆動ユニット１１は、スピーカーとは異なり、それ自体は発音／放音せず、接合された他の物体を電磁駆動させて振動させ発音／放音させるものである。このような電磁駆動ユニット１１は、特開平８−１４６９４９号公報、特開平８−１１１８９６号公報などに開示されている。
【００２９】
（３）介在帯（介在体）８
上記介在帯（介在体）８は、発泡ウレタン樹脂、ゴム、発泡ウレタン製、ウレタンエラストマー製、スチレン系ポリマー、エポキシ、塩化ビニール、酢酸ビニール、合成ゴムなどの可撓性、弾性または／及びクッション性のある軟質樹脂製、布、紙、パルプなどからなっている。
【００３０】
この介在帯８の密度は例えば２４０ｋｇ／ｍ3、２５％圧縮荷重は例えば０．０４Ｍｐａ、引張り強度は例えば０．５４Ｍｐａ、伸びは例えば１１５％、引裂強度は例えば１．８Ｎ／ｍｍ、圧縮残留歪は例えば２．７％（７０℃×２２ｈｒ、５０％圧縮にて測定）、圧縮永久歪みは例えば７．６％、厚み公差は例えば±１０％である。この介在帯８の厚さは例えば１．０ｍｍ乃至１０．０ｍｍ、望ましくは２．０ｍｍ乃至７．０ｍｍ、より望ましくは３．０ｍｍ乃至４．０ｍｍである。
【００３１】
次述する圧縮された状態においては、介在帯８の厚みは少なくとも０．５ｍｍ以上必要となる。次述する０％圧縮のときは、介在帯８の厚みは少なくとも０．５ｍｍ以上必要となる。次述する９０％圧縮のときは、介在帯８の厚みは少なくとも５．０ｍｍ以上必要となる。
【００３２】
上記響板１１は当接枠３に木ねじなどで押し付けて固定される。この場合、上記介在帯８の厚さは、０％乃至９０％、望ましくは０％乃至８０％、より望ましくは０％乃至７０％、さらに望ましくは０％乃至６０％、よりさらに望ましくは０％乃至５０％、さらにより望ましくは０％乃至４５％、よりさらに望ましくは０％乃至４０％、さらにより望ましくは０％乃至３５％、よりさらに望ましくは０％乃至３０％、さらにより望ましくは０％乃至２５％、よりさらに望ましくは０％乃至２０％、さらにより望ましくは０％乃至１５％、よりさらに望ましくは０％乃至１０％圧縮する状態とされる。
【００３３】
または、上記介在帯８の厚さは、０％乃至９０％、望ましくは０％乃至８０％、より望ましくは１％乃至７０％、さらに望ましくは１％乃至６０％、よりさらに望ましくは２％乃至５０％、さらにより望ましくは２％乃至４５％、よりさらに望ましくは３％乃至４０％、さらにより望ましくは３％乃至３５％、よりさらに望ましくは４％乃至３０％、さらにより望ましくは４％乃至２５％、よりさらに望ましくは５％乃至２０％、さらにより望ましくは５％乃至１５％、よりさらに望ましくは６％乃至１０％圧縮する状態とされる。
【００３４】
この介在帯８の厚さの圧縮率が小さいと、上記介在帯８、当接枠３及び響板１１の間で、互いが振動でぶつかりあう可能性が高くなるが、０％でも振動でぶつかりあう可能性はあまりない。この介在帯８の厚さの圧縮率が大きいと、上記響板１１から当接枠３へ振動が伝わり易くなって、響板１１から発せられる楽音が不用意に変異したり音量が減少したりしてしまう可能性が高くなるが、圧縮率が９０％を超えず、厚みが０．５ｍｍ以上であれば、響板１１から発せられる楽音が不用意に変異したり音量が減少したりしてしまうことが防止される効果は維持される。
【００３５】
したがって、上記介在帯８、当接枠３及び響板１１の間に隙間がない状態とされる。これにより、上記介在帯８、当接枠３及び響板１１の間で、互いが振動でぶつかりあうことがなくなり、異常振動／異常音が発生してしまうことがなくなり、響板１１から発せられる楽音が不用意に変異したり音量が減少したりしてしまうことがなくなる。
【００３６】
上記楽音装置本体の当接枠３と響板１１との間には、この可撓性、弾性または／及びクッション性のある介在帯８が介在されているので、響板１１は楽音装置本体つまり当接枠３に直接接触しない状態となる。したがって、響板１１の音／振動が楽音装置本体に直接伝わらず、響板１１から発せられる楽音が不用意に変異したり音量が減少したりしてしまうことがなくなる。このような介在帯８が無いと、響板１１の振動に抵抗がかかって音量が低下してしまうが、このような介在帯８があると、響板１１の振動に抵抗がかからず、音量が大きくなる。
【００３７】
（４）他の実施の形態
本件発明は上記実施例に限定されず、本件発明の趣旨を逸脱しない範囲で種々変更可能である。例えば、当接枠３は省略されて、底板２、右下内側板４、左下内側板５、中天板７の後縁に介在帯８を介して響板１１が取り付けられるなどされてもよく、また右外側板２４、左外側板２５等の後縁に介在帯８を介して響板１１が取り付けられるなどされてもよく、当接体は楽音装置本体の一部であってもよい。
【００３８】
介在帯８は、可撓性、弾性またはクッション性があれば、どのような素材からなっていてもよい。響板１１前面と当接枠３後面とは一部または全部重複していたが、全く重複しなくてもよい。この場合、介在帯８の一部に、響板１１前面と当接枠３後面とで挟まれない箇所ができることになる。
【００３９】
響板１１は楽音装置本体（底板２、当接枠３、右下内側板４、左下内側板５、前面板６、中天板７）に全く接触しない状態であるが、一部接触してもよい。響板１１の全周縁には介在帯８が一部隙間あるように介在されてもよく、響板１１の全周縁と楽音装置本体との間には隙間が少々あってもよい。
【００４０】
上記響板１１が取り付けられる楽音装置本体の、響板１１が取り付けられる側、上側、下側、右側、左側の一部に隙間があってもよい。響板１１が取り付けられる楽音装置本体の、響板１１が取り付けられる側と反対側の挿通穴９は省略されてもよいし、挿通穴９の形状は垂直方向、斜め方向、円形、楕円形、多角形などどのような形状でもよい。挿通穴９の一部または全体が省略されても良い。右下内側板４及び左下内側板５または右外側板２４及び左外側板２５の一方が一部または全体が省略されてもよい。
【００４１】
響板１１の枠棒１２の一部または全部が省略されても良いし、響板の響棒１３…または枠棒１２の一部または全部が省略されても良い。響板１１の響棒１３…または枠棒１２の断面形状は方形、三角形、多角形、円形、楕円、半円形、かまぼこ形、扇形など細長ければどのような形状でもよい。響棒１３…または枠棒１２の太さは均一でもよいし、細い太いが交互に入れ換わったり、中央が細くなったり太くなったり、端が太くなったり細くなったりしてもよい。
【００４２】
楽音装置本体（底板２、当接枠３、右下内側板４、左下内側板５、前面板６、中天板７）は、箱型であったが、八面体、十二面体、円筒、円柱、テーパ状、ラッパ状、球形、湾曲立体など、どのような形状であってもよい。響板の形状は方形以外に、円形、多角形、環状など、平坦であればどのような形状でもよい。
【００４３】
上記響板１１は、平坦であるが、凹条に湾曲していても良いし、凸状に湾曲していてもよい。これにより、響板１１から発生される楽音の波形は平面波ではなく、球面波になる。電磁駆動ユニット（電磁駆動体）１４は、スピーカー、ツィーターなどに置き換えられても良い。
【００４４】
また、本件発明の装置を取り付ける楽器は、アップライトピアノ、グランドピアノ、電子ピアノ、電子オルガン、チェンバロ、電子チェンバロ、ピアニカ、電子ピアニカなど鍵盤があればどのような楽器でもよい。この場合、響板１１はほぼ垂直方向／ほぼ縦向きではなくほぼ水平方向／ほぼ横向きに配置されるので、電磁駆動ユニット１４もほぼ横向き／水平方向向きにされて取り付けられる。
【００４５】
さらに、電磁駆動ユニット１４の取付け位置は、響板１１の端部ではなく、中央に近いところまたは中央でも良い。電磁駆動ユニット１４は、１つの響板１１に複数取り付けられてもよい。この場合、電磁駆動ユニット１４は、響板１１の両端部の互いに対称な位置に取り付けられる。電磁駆動ユニット１４からは低音ではなく、高音、中音などが出力されてもよい。
【００４６】
さらに、上記複数種類の楽音からなる楽音信号は、複数種類の楽器、音色、音高または／及びタッチの楽音の信号からなっており、ポリフォニックに発音される楽音の信号であり、低音、中音、高音の各周波数帯域の楽音が含まれている。このような楽音信号には、楽器の弦自体、管自体、打自体の部分の楽音の信号ほか、響板部分の楽音の信号も含まれるが、弦自体、管自体、打自体の部分の楽音の信号のみでもよいし、実際のアコースティック楽器の響板部分の楽音の信号のみでもよいし、上記複数種類の楽音からなる楽音信号はＰＣＭなどのデジタル信号でも良い。
【００４７】
（５）他の発明の効果
[１]振動されて音を放射する楽器の響板と、  複数種類の楽音からなる楽音信号を機械的変化に変換して、上記楽器の響板を駆動させて音を放射させる電磁駆動体と、  楽音装置本体に設けられた、上記響板の縁が当接される当接体と、  この当接体と上記響板の縁との間に挟まれる可撓性を有する介在体とを備えたことを特徴とする楽音装置。
【００４８】
[２]振動されて音を放射する楽器の響板と、  複数種類の楽音からなる楽音信号を機械的変化に変換して、上記楽器の響板を駆動させて音を放射させる電磁駆動体と、  楽音装置本体に設けられた、上記響板の縁が当接される当接体と、  この当接体と上記響板の縁との間に挟まれる可撓性を有する介在体と、  上記響板は楽音装置本体に全く接触しない状態であって、上記介在体、当接体及び響板の間に隙間がない状態であり、当該介在体の厚さを０％乃至９０％圧縮する状態で、響板を当接体に押し付けて固定する固定機構とを備えたことを特徴とする楽音装置。
【００４９】
[３]上記響板の全周縁には上記介在体が隙間なく介在され、当該響板の全周縁と楽音装置本体との間には隙間がなく密封されていることを特徴とする請求項１または２記載の楽音装置。これにより、響板の周囲から響板からの音が漏れず、響板から発せられる楽音が不用意に変異したり音量が減少したりしてしまうことがなくなる。
【００５０】
[４]上記響板が取り付けられる楽音装置本体の、響板が取り付けられる側、上側、下側、右側、左側は隙間なく密封されていることを特徴とする請求項１、２または３記載の楽音装置。これにより、響板の左右上下から響板からの音が漏れず、響板から発せられる楽音が不用意に変異したり音量が減少したりしてしまうことがなくなる。
【００５１】
[５]上記響板が取り付けられる楽音装置本体の、響板が取り付けられる側と反対側には挿通穴が形成されていることを特徴とする請求項１、２、３または４記載の楽音装置。楽音装置の響板とは反対側に響板の音が放射され、この放射音と響板からの音とは互いに打ち消しあったり悪影響を及ぼしあったりすることがなく、響板から発せられる楽音が不用意に変異したり音量が減少したりしてしまうことがなくなり、響板の振動が楽音装置の前面にも放射され、実際のアコースティックな鍵盤楽器のような感触が得られる。
【００５２】
[６]上記介在体は、上記可撓性のほか、弾性または／及びクッション性も有することを特徴とする請求項１、２、３、４または５記載の楽音装置。これにより、響板の音が楽音装置本体に伝わらず、響板から発せられる楽音が不用意に変異したり音量が減少したりしてしまうことがなくなる。
【００５３】
[７]上記介在体の厚さは、０％乃至９０％、望ましくは０％乃至８０％、より望ましくは０％乃至７０％、さらに望ましくは０％乃至６０％、よりさらに望ましくは０％乃至５０％、さらにより望ましくは０％乃至４５％、よりさらに望ましくは０％乃至４０％、さらにより望ましくは０％乃至３５％、よりさらに望ましくは０％乃至３０％、さらにより望ましくは０％乃至２５％、よりさらに望ましくは０％乃至２０％、さらにより望ましくは０％乃至１５％、よりさらに望ましくは０％乃至１０％圧縮されることを特徴とする請求項１、２、３、４、５または６記載の楽音装置。
【００５４】
これにより、当接体、介在体及び／または響板の間に隙間ができず、これらの間で異常な振動／音／共振が発生せず、響板から発せられる楽音が不用意に変異したり音量が減少したりしてしまうことがなくなる。
【００５５】
[８]上記楽音装置は鍵盤楽器であり、上記響板は、この鍵盤楽器の楽音装置の背面側に取り付けられ、楽音装置の正面側の鍵盤の下側に挿通穴が形成されていることを特徴とする請求項１、２、３、４、５、６または７記載の楽音装置。これにより、響板の振動が鍵盤に伝播され、実際のアコースティックな鍵盤楽器のような感触が得られる。
【産業上の利用可能性】
【００５６】
響板が楽音装置本体に接触せず、当該介在体の厚さを圧縮する状態で、響板を当接体に押し付けて固定することにより、響板からの振動が楽音装置全体に直接伝わってしまうことがなくなる。
【００５７】
楽音装置の垂直な方形の当接枠３の後面と響板１１の外周縁野前面との間には、可撓性、弾性及びクッション性を有する介在帯８が挟まれ、響板１１が当接枠３に押し付けられる。これにより、響板１１からの振動が楽音装置全体に直接伝わってしまうことがないし、介在帯８、当接枠３及び響板１１の間で共振が生じることもなく、響板１１から発せられる楽音が不用意に変異してしまうことがなくなり、実際のアコースティックな楽器の楽音に近づけることができる。
【図面の簡単な説明】
【００５８】
【図１】楽音装置の背面を示す。
【図２】楽音装置の正面を示す。
【図３】楽音装置の縦断面を示す。
【図４】楽音装置の縦断面を示す。
【図５】楽音装置の横断面を示す。
【符号の説明】
【００５９】
１…足部、２…底板、３…当接枠、
４…右下内側板、５…左下内側板、
６…前面板、７…中天板、
８…介在帯（介在体）、９…挿通穴、
１１…響板、１２…枠棒、１３…響棒、
１４…電磁駆動ユニット（電磁駆動体）、
２１…機構箱、２２…鍵盤、２３…木ねじ、
２４…右外側板、２５…左外側板。
【図１】
2008139746.tif 000003
【図２】
2008139746.tif 000004
【図３】
2008139746.tif 000005
【図４】
2008139746.tif 000006
【図５】
2008139746.tif 000007